(57)【要約】【課題】            より簡単に子供の座高に合わせた高さ調節が可能で、椅子に簡単に取り付けることが出きる子供用座布団を提供する。【解決手段】        ３枚の略矩形のスポンジ、中心に円形の孔を有する１枚の略矩形スポンジ、前記４枚のスポンジを積み重ね全体を覆う座布団カバー、および座布団を椅子に固定するための固定手段からなる子供用座布団であり、座布団カバーの中に入れるスポンジの枚数を調節することにより、座布団の高さを調節可能にする。【選択図】          図１
0003106820.tif 000002
【実用新案登録請求の範囲】
【請求項１】
３枚の略矩形のスポンジ、中心に円形の孔を有する１枚の略矩形スポンジ、前記４枚のスポンジを積み重ねて全体を覆う座布団カバー、および座布団を椅子に固定するための固定手段からなる子供用座布団であって、座布団カバーの中に入れるスポンジの枚数を調節することにより、座布団の高さが調節可能であることを特徴とする子供用座布団。
【請求項２】
前記座布団カバーの底の部分には、高さ調節の為にスポンジを出し入れ可能な、取り出し口が設けられており、該取り出し口は締付け手段により締付けられ座布団カバーをスポンジにフィットさせることが可能なことを特徴とする請求項１に記載の子供用座布団。
【請求項３】
前記４枚のスポンジの内、前記座布団カバーの取り出し口に位置する最下段の１枚のスポンジは、スポンジ用カバーで覆われていることを特徴とする請求項１または２に記載の子供用座布団。
【請求項４】
前記固定手段および前記締付け手段が、紐であることを特徴とする請求項１から３のいずれか１項に記載の子供用座布団。
【考案の詳細な説明】
【技術分野】
【０００１】
本考案は、子供が椅子に座った時に着座位置を高くすることができ、高さが調整可能な子供用座布団に関する。
【背景技術】
【０００２】
従来、小さな子供が、食卓等の椅子に座る場合、そのままでは高さが合わないので、子供専用の椅子を用意したり、座布団等を用いて高さを調節したりしている。
【０００３】
座布団は中身にクッション性を有する素材を用いて、座りごこちが良くされているが、普通は座布団は一枚で用いるものであり、重ねたて高さを調節したりするのにはあまり適していない。
【考案の開示】
【考案が解決しようとする課題】
【０００４】
子供たちが椅子を利用して、食卓で食事等をする場合、普通の椅子では、座高が低く高さが合わないので、食事がしずらくなったりする。そのため、子供専用の椅子を用いたりするが、子供専用の椅子は、高さが調節できない椅子は、使用できる期間が限られており、その都度買いかえるには、費用がかかるといった問題点がある。また、高さを調節できる椅子は、操作が複雑で高価であるといった問題点がある。
【０００５】
座布団を重ねて用いると、何枚も重ねて使用することが考慮されていないので、座布団同士が滑り、非常に不安定になるといった問題点がある。
【０００６】
そこで、本考案は、より簡単に子供の座高に合わせた高さ調節が可能で、椅子に簡単に取り付けることが出きる子供用座布団を提供することを目的とする。
【課題を解決するための手段】
【０００７】
本考案の子供用座布団は、前記問題点を解決するために、３枚の略矩形のスポンジ、中心に円形の孔を有する１枚の略矩形のスポンジ、前記４枚のスポンジを積み重ねて覆う座布団カバー、および座布団を椅子に固定するための固定手段からなる座布団であって、座布団カバーの中に入れるスポンジの枚数を調節することにより、座布団の高さが調節可能であることを特徴とする。
【０００８】
本考案の子供用座布団は、さらに、前記座布団カバーには、高さ調節の為にスポンジを出し入れ可能な、取り出し口が設けられており、該取り出し口は締付け手段により締付けられ座布団カバーをスポンジにフィットさせることが可能である。
【０００９】
また、本考案の子供用座布団は、前記４枚のスポンジの内、前記座布団カバーの取り出し口に位置する最下段の１枚のスポンジは、スポンジ用カバーで覆われていることが好ましい。
【００１０】
そして、本考案の子供用座布団は、前記固定手段および前記締付け手段が、紐であることが好ましい。
【考案の効果】
【００１１】
本考案の子供用座布団は、前記問題点を解決するために、３枚の略矩形のスポンジ、中心に円形の孔を有する１枚の略矩形のスポンジ、前記４枚のスポンジを積み重ねて全体を覆う座布団カバー、および座布団を椅子に固定するための固定手段からなる子供用座布団であって、座布団カバーの中に入れるスポンジの枚数を調節することにより、座布団の高さが調節可能であることにより、子供が椅子を利用する時、子供の座高の高さに合わせて、簡単に高さが調節可能で、子供が座布団に座った時、前記スポンジの孔により、お尻の位置が固定され、座布団からずれ落ちることなく座ることが可能となる。
【００１２】
本考案の子供用座布団は、さらに、前記座布団カバーの底の部分には、高さ調節の為にスポンジを出し入れ可能な、取り出し口が設けられており、該取り出し口は締付け手段により締付けられ座布団カバーをスポンジにフィットさせることが可能であるので、高さ調節後も、カバーがたるむことなく利用することが可能となる。
【００１３】
また、本考案の子供用座布団は、前記４枚のスポンジの内、前記座布団カバーの取り出し口に位置する最下段の１枚のスポンジは、専用のスポンジ用カバーで覆われていることにより、スポンジ全てがカバーにて覆われ、使用中にスポンジが汚れるのを防ぐことができる。
【００１４】
そして、本考案の子供用座布団は、前記固定手段および前記締付け手段が、紐であることにより、座布団を簡単に椅子に取付けることができ、カバーを簡単にスポンジにフィットさせることができる。
【考案を実施するための最良の形態】
【００１５】
以下に、図を用いて本考案の子供用座布団の実施形態について詳細に説明する。
【００１６】
図１は、本考案の子供用座布団１を椅子に固定した状態を示す斜視図であり、図２は、座布団カバー４を取り外した状態の４枚のスポンジの斜視図である。
【００１７】
図２に示すように略矩形に形成されたスポンジ４枚で一組の子供用座布団が構成される。４枚のスポンジの内、１枚のスポンジ３には中心に円形の孔が設けられており、残りの３枚のスポンジ２には、孔は設けられていない。スポンジの材料は、クッション性を有する材料であればよく、特に限定するものではない。
【００１８】
スポンジ全体を覆うための座布団カバー４は、スポンジ４枚を重ねた状態で全体を上から覆うことが出来る大きさに布を縫製して形成されており、椅子９に子供用座布団１を固定するための固定手段６が取付けられている。本実施形態では、固定手段６として、ひもが左右各々２箇所に縫い付けられており、図１に示すように座布団１を椅子９の座面に置き、前記紐を座面の裏側と、椅子の背もたれ部の裏側の２箇所にて左右の紐をむすぶことにより、座布団１を椅子９に固定することができる。
【００１９】
また、前記座布団カバー４には、図３に示すように、子供用座布団１を子供の座高に合わせて高さ調節する際に、前記スポンジを出し入れするための取り出し口７が設けられている。前記取り出し口７は、座布団カバー４がスポンジを覆った際の裏面に設けられ、スポンジを出し入れ可能な大きさに設定されている。座布団カバー４の材料は、縫製可能な素材であれば良く、特に限定するものではない。
【００２０】
前記取り出し口７には、座布団カバー４をスポンジにフィットさせるための締付け手段８が設けられている。本実施形態では、締付け手段８は、前記取り出し口７の周囲を折り返して筒状に縫い付け、筒状に縫い付けた所に１箇所開口を設け、そこから筒状部に紐を通し、前記紐を締め付けるようにしている。これにより、スポンジの枚数が少なくなり座布団カバー４がたるんできても、スポンジに座布団カバー４をフィットさせることが可能となる。
【００２１】
前記締め付け手段８を用いて、締め付けたとき、前記取り出し口７は完全に閉じないので、一番下に位置するスポンジが一部露出する。この露出するスポンジを覆うためにスポンジ用カバー５を用いる。
【００２２】
図４に示すように、スポンジ用カバー５は、１枚のスポンジの少なくとも片面全体を覆うことが出来る大きさに、布を縫製して作製する。スポンジ用カバー５の端部にはゴムが入れてあり、これによりスポンジ用カバー５をスポンジにフィットさせる。素材としては、前記座布団カバー４と同じ素材、同じ柄を用いることが好ましい。これにより、座布団全体に統一感が出る。
【００２３】
次に、３本実施形態の子供用座布団１の使用方法について説明する。
【００２４】
まず初めに、使用する椅子や子供の座高の高さに合わせて、子供用座布団１の高さを調節する。４枚のスポンジの枚数の増減により高さを調節するが、この際、孔あきスポンジ３は必ず使用する。この孔あきスポンジ３を用いることにより、子供のお尻がその孔に納まり、体が固定され、よりフィット感が増す。残りの３枚のスポンジの数により高さを調節する。孔のあいていないスポンジ２と孔あきスポンジ３を組み合わせて用いる場合は、孔あきスポンジ３の配置場所は特に限定するものではなく、１番上でも良く、２，３，４番目でも良い。
【００２５】
取り出し口７から、スポンジを出し入れして調節し、スポンジの枚数および配置を決定すると、次に、最下段のスポンジにスポンジ用カバー５を被せる。そして、締め付け手段８により、座布団カバー４を締め付けスポンジにフィットさせる。
【００２６】
そして、椅子９の座面に子供用座布団１を置き、固定手段６のひもを椅子の座面の裏側と背もたれの裏側へ通し紐を互いにくくり、椅子９に子供用座布団１を固定する。
【００２７】
本実施形態において、材質や大きさは特に限定するものではなく、その都度、適宜決定することができる。
【図面の簡単な説明】
【００２８】
【図１】本考案の子供用座布団を椅子に取り付けた状態の斜視図である。
【図２】本考案の子供用座布団の座布団カバーを取り外した状態のスポンジ４枚を積み重ねた斜視図である。
【図３】本考案の子供用座布団を裏返しにした状態の斜視図である。
【図４】最下段のスポンジにスポンジ用カバーを取り付けた状態の斜視図である。
【符号の説明】
【００２９】
１    子供用座布団
２    スポンジ
３    孔あきスポンジ
４    座布団カバー
５    スポンジ用カバー
６    固定手段
７    取り出し口
８    締付け手段
９    椅子
【図１】
0003106820.tif 000003
【図２】
0003106820.tif 000004
【図３】
0003106820.tif 000005
【図４】
0003106820.tif 000006